(57)【特許請求の範囲】
【請求項１】
デッドボルトを兼ねるラッチボルトのリトラクターの基部に結合され、錠箱内において回動自在に支承されると共に、横断面非円形の内孔を形成した短筒状のリトラクター軸と、扉内面の自由側端縁部に装着され、回動軸をリトラクター軸と同軸にして回動自在に支承された切替摘みと、この切替摘みの室外側にこれと同軸に配設され、リトラクター軸の内孔に軸線方向に移動可能に案内された第１操作杆と、扉外面の自由側端縁部に装着され、回動軸をリトラクターと同軸にして回動自在に支承された室外側操作部材と、リトラクター軸及び室外側操作部材を相互に連結する杆体であって、その室内側の端部に、内側から順に、リトラクター軸の内孔に内接する丸棒より太くない円形断面部、及びリトラクター軸の内孔と相対回動は拘束されるが摺動可能に嵌合し得る異形断面部を連設すると共に、その室内側端部をリトラクター軸の内孔に嵌挿した状態で、長さ方向には移動可能であるが、室外側操作部材に対する相対回動を拘束されるように案内された第２操作杆と、この第２操作杆を室内側に移動する方向に付勢するばね部材と、切替摘みの外端に一体に結合された浅いカップ体の環堤部に一対の山形のカム部を回動軸に関し対称的に形成した駆動カム、及び、第１操作杆の内端に一体に結合され、上記駆動カムと同様の構成で、空錠状態ではカム部の山形を駆動カムの谷に噛み合わせるフォロワーよりなる連係機構とを有し、自動施錠型の錠前に切替えるとき、切替摘みを回転させて第１操作杆及びこれと当接する第２操作杆を室外側に移動させ、第２操作杆の異形断面部をリトラクター軸の内孔から抜き外すようにしたことを特徴とする自動施錠型錠前における作動モード切替装置。
【発明の詳細な説明】
【０００１】
【発明の属する技術分野】
この発明は、自動施錠型錠前における作動モード切替装置（以下単に切替装置という）に係り、特に、簡単な操作で自動施錠型錠前を空錠にすることができる切替装置に関する。
【０００２】
【従来の技術】
例えばホテルの客室や企業の研究所の扉口等に用いられる錠前は、安全性を向上させるために、所謂自動施錠型の錠前が採用されている場合が多い。
【０００３】
この自動施錠型の錠前は、その一例を後述するが、閉扉時ラッチボルトが扉枠のストライク孔に投入されると、そのラッチボルトを突出位置に固定する部材が自動的に作動し、閉扉後合鍵により錠前を施錠しなくとも扉の施錠をすることができる。
【０００４】
しかして、この自動施錠型の錠前を例えば研究所の扉口、或いは金融機関の従業員の出入り口等に装着した場合、人の出入りの少ない日中は良いが、出退社時等人の出入りの多い朝夕には、人の出入り毎に合鍵や電気錠の暗証符号入力盤の操作をしなければならず煩わしい。
【０００５】
そこで、自動施錠のラッチボルトを一時的に錠箱内に没入した状態に保持し、これを空錠とするラッチボルトの係止装置が提案され、かつ実用されている。
【０００６】
このラッチボルトの係止装置は、例えば、室内側のハンドルやノブを操作してラッチボルトを錠箱内に引込めた状態で扉を開け、扉の自由側端縁に露出した制御杆を例えばドライバー等で操作することによりラッチボルトを係止する（図示せず）。
【０００７】
【発明が解決しようとする課題】
上記したラッチボルトの係止装置は勿論その所期の機能を発揮し実用されているが、係止装置を作動させるため一旦扉を開けて制御杆を露出させ、しかもドライバー等を捜して扉口まで持っていかなくてはならないので、やや操作が面倒である、という恨みが残る。
【０００８】
また、ラッチボルトを錠箱内に引込めてしまうので、この錠前を外部空間に通じる扉口に装着した場合、クローザで扉に押し付けられている扉が風に煽られて開いてしまうことがある、という不都合もある。
【０００９】
そこで、この発明は、扉を閉めた状態で手指で操作でき、勿論ドライバー等を使用しなくてもよい操作の簡単な切替装置を提供することを目的としている。
【００１０】
また、この発明の他の目的は、空錠の状態でもラッチボルトを扉枠に係止しておくことができ、扉が風に煽られても扉が開くことがない切替装置を提供するにある。
【００１１】
【課題を解決するための手段】
上記の目的を達成するため、この発明は、デッドボルトを兼ねるラッチボルトのリトラクターの基部に結合され、錠箱内において回動自在に支承されると共に、横断面非円形の内孔を形成した短筒状のリトラクター軸と、扉内面の自由側端縁部に装着され、回動軸をリトラクター軸と同軸にして回動自在に支承された切替摘みと、この切替摘みの室外側にこれと同軸に配設され、リトラクター軸の内孔に軸線方向に移動可能に案内された第１操作杆と、扉外面の自由側端縁部に装着され、回動軸をリトラクターと同軸にして回動自在に支承された室外側操作部材と、リトラクター軸及び室外側操作部材を相互に連結する杆体であって、その室内側の端部に、内側から順に、リトラクター軸の内孔に内接する丸棒より太くない円形断面部、及びリトラクター軸の内孔と相対回動は拘束されるが摺動可能に嵌合し得る異形断面部を連設すると共に、その室内側端部をリトラクター軸の内孔に嵌挿した状態で、長さ方向には移動可能であるが、室外側操作部材に対する相対回動を拘束されるように案内された第２操作杆と、この第２操作杆を室内側に移動する方向に付勢するばね部材と、切替摘みの外端に一体に結合された浅いカップ体の環堤部に一対の山形のカム部を回動軸に関し対称的に形成した駆動カム、及び、第１操作杆の内端に一体に結合され、上記駆動カムと同様の構成で、空錠状態ではカム部の山形を駆動カムの谷に噛み合わせるフォロワーよりなる連係機構とを有し、自動施錠型の錠前に切替えるとき、切替摘みを回転させて第１操作杆及びこれと当接する第２操作杆を室外側に移動させ、第２操作杆の異形断面部をリトラクター軸の内孔から抜き外すようにしたことを特徴とする。
【００１２】
【発明の実施の形態】
以下この発明の実施例を図面を参照して説明する。
図１において符号１は扉を、符号２及び３は外側及び内側エスカチオンを夫々示し、これら外側及び内側エスカチオン２、３の間における扉１内に自動施錠の錠前の錠箱４（図３参照）が装着される。
【００１３】
自動施錠の錠箱の構造は周知であり、加えて本発明の要旨ではないが、念の為その構造の一例を図３に示すと、シリンダ錠の内筒及び／又はサムターン軸に連結された制御カム５の外周部にセクターギア６が形成されている。
【００１４】
このセクターギア６は、前後方向に移動可能に案内され、前方に向かう方向に付勢された解錠ボード７の一部に形成されたラックと噛み合っており、また、この解錠ボード７に植設された解錠ピン８が係止レバー９の傾斜部に前方から当接している。
【００１５】
上記した構成により、例えば合鍵により制御カム５を図３で反時計方向に回すと、解錠ピン８が後方に移動するので係止レバー９が時計方向に回動してラッチボルトの係止を解く。
【００１６】
更に合鍵により制御カム５を反時計方向に回すと、解錠ボード７が連結片１２を介してラッチボード１３を後方に移動させるので、ラッチボード１３に搭載されたラッチボルト１１が錠箱４内に没入する。
【００１７】
また、通常は室内側にのみ装着されるハンドル等の室内側操作部材の角軸がリトラクター軸１４の異形の内孔に嵌挿された状態で固定され、このようにして室内側操作部材とリトラクター１６とが相互に連結される。
【００１８】
したがって、室内側操作部材を操作してリトラクター１６を図３で時計方向に回動させれば、リトラクター１６の先端がラッチボード１３の後端に係合してこれを内方に引込めるので、連結片１２を介して解錠ボード７も後方に移動し、上記したようにして解錠及びラッチボルト１１の錠箱内への没入操作が行われる。
【００１９】
図面を明瞭にするため錠箱及びその内部機構を省略して示す図１に戻って、符号１４はリトラクター軸を示し、このリトラクター軸１４は、デッドボルトを兼ねるラッチボルトのリトラクター１６（図３参照）の基部に結合された短筒体で、錠箱内において回動自在に支承されている。
【００２０】
このリトラクター軸１４には横断面非円形の内孔１７（図５参照）が形成されている。図５に示す内孔１７は横断面正方形であるが、例えば図３に示すように、円形孔にブローチ盤で４条のＶ字溝を母線に沿って形成したものであってもよい。
【００２１】
一方、扉内面の自由側端縁部分には、図１に示すように、切替摘み１８がリトラクター軸１４と同軸に、かつ回動自在に装着されている。
【００２２】
これに対応して、扉外面の自由側端縁部分には、図１に示すように、ハンドルとしての室外側操作部材１９が回動軸をリトラクター軸１４のそれと同軸にして回動可能に装着されている。
【００２３】
上記外側操作部材１９及び切替摘み１８の間には、内側から順に、連係機構２０、第１操作杆２１及び第２操作杆２２が連設されている。
【００２４】
上記切替摘み１８の外端（図１で左端）には、上記連係機構２０を構成する駆動カム２０ａが一体に結合され、この駆動カム２０ａは内側エスカチオン３に形成された案内洞３ａに回動可能に嵌合している。
【００２５】
この駆動カム２０ａは、図２に示すように、浅いカップ体の環堤部に一対の山形のカム部を回動軸に関し対称的に形成したもので、その室内側の底面に形成された２対のクリック穴（付番せず）に夫々クリックボールが弾接することにより、切替摘み１８により切替えられる駆動カム２０ａの角度位置を準安定的に固定できるようになっている。
【００２６】
他方、第１操作杆２１の内端には、連係機構２０を構成するフォロワー２０ｂが同軸かつ一体に結合されている。
【００２７】
図示の実施例におけるフォロワー２０ｂは、上記駆動カム２０ａと同様の構成であり、図１に示す空錠状態では、その環堤部に形成された山形を駆動カム２０ａの谷に噛み合わせている。
【００２８】
なお、図示の実施例の連係機構２０においては、少なくともフォロワー２０ｂの外周面の１ヵ所にその母線に沿って案内溝２０ｃ（図２参照）が形成されており、この案内溝２０ｃに前記案内洞３ａの内周面に突設された案内ピン（図示せず）が摺動可能に係合することにより、フォロワー２０ｂ及びこれと一体の第１操作杆２１に回り止めが施されている。
【００２９】
また、図示の実施例においては、案内洞３ａを覆うように設けられた蓋板２４とフォロワー２０ｂとの間に弾装された圧縮コイルばね２５の弾力により、フォロワー２０ｂは駆動カム２０ａに弾接される構造であるが、この圧縮コイルばね２５はこの発明の必須の構成要素ではない。
【００３０】
上記した構成により、第１操作杆２１は、フォロワー２０ｂを介して案内洞３ａに支承され、その軸線方向に移動可能に案内されると共に、フォロワー２０ｂを介して駆動カム２０ａに軸線方向から係合することになる。
【００３１】
なお、第１操作杆２１の横断面形状は、リトラクター軸１４の内孔１７（図５参照）に内接する丸棒より小径の円形であるものとする。
【００３２】
一方、上記リトラクター軸１４と室外側操作部材１９とは、横断面正方形の角棒状の第２操作杆２２によって相互に連結されている。
【００３３】
この第２操作杆２２の室内側の端部（図１において右端部）には、リトラクター軸１４の内孔に内接する丸棒より太くない円形断面部２２ａが形成されている。
【００３４】
ここに内孔に丸棒が内接する、とは、丸棒の横断面形である円が内孔の横断面形である例えば正方形に内接する、という意味である。
【００３５】
そして、第２操作杆２２の室内側の端部（図１で右端部）は、横断面同形のリトラクター軸１４の内孔に嵌挿され、第２操作杆２２の室外側の端部は、室外側操作杆１９の基部に形成された横断面正方形の受け孔（付番せず）に摺動可能に嵌合している。
【００３６】
上記した構成により、第２操作杆２２は、図１に示すように円形断面部２２ａに連なる横断面正方形部（異形断面部２２ｂ）がリトラクター軸１４の内孔１７と嵌合しているときには、リトラクター軸１４及び室外側操作部材１９に対して相対回動はできないが、その長さ方向には移動できるように案内されることになる。
【００３７】
換言すれば、室外側操作部材１９とリトラクター軸１４とは、第２操作杆２２を介して、回動方向において一体的に連結されている。
【００３８】
また、室外側操作部材１９の基部に形成された角孔の奥、換言すれば図１における左端部には、圧縮コイルばねとしてのばね部材２３が弾装されており、このばね部材２３の弾力により、第１及び第２操作杆２１、２２は室内側に移動する方向に付勢されている。
【００３９】
なお、図１において符号１５は室内側操作部材を、符号２６はシリンダ錠収納洞をそれぞれ示し、室内側操作部材１５の外端（図１で左端）に突設された連結板２７は、例えば錠箱内の制御カム５（図３参照）の十字形の連結孔と係合している。
【００４０】
上記のように構成されたこの発明の一実施例による切替装置は、この発明が適用される錠前を空錠にするとき、図１に示すように、駆動カム２０ａとフォロワー２０ｂの山と谷が角度的に整合するように、すなわち山と谷が噛み合うように切替摘み１８を回す。
【００４１】
すると、第１及び第２操作杆２１、２２はばね部材２３及び圧縮コイルばね２５の弾力により室内側に移動し、その結果第２操作杆２２の異形断面部２２ｂがリトラクター軸１４の異形の内孔と嵌合する。
【００４２】
前記したようにリトラクター１６（図３参照）は、これを操作すれば錠前が自動的に解錠されるようになっているから、室外側操作部材１９を回せば何時でもこの錠前は解錠され、換言すればこの錠前は空錠となる。
【００４３】
一方、この錠前を自動施錠型に戻すには、切替摘み１８を時計方向又は反時計方向に９０度回す。
【００４４】
すると、回り止めを施されたフォロワー２０ｂに対し、駆動カム２０ａの斜面が楔作用でこれを外方に押動するように駆動する。
【００４５】
その結果、図４に示すように、駆動カム２０ａの山とフォロワー２０ｂの山とが相互に当接するに至り、その結果フォロワー２０ｂに押されて、第１及び第２操作杆２１、２２が外方に移動して、第２操作杆１９の異形断面部２２ｂがリトラクター軸１４の内孔から抜き外れる。
【００４６】
この状態では、図５に示すように、リトラクター軸１４の内孔と嵌合しているのはこれに内接する第２操作杆の円形断面部２２ａのみであるから、室外側操作杆１９を外側から操作しても空回りするばかりでリトラクター軸１４は動かず、この錠前は施錠状態となる。
【００４７】
この錠前を室外側から解錠するには、シリンダー錠を合鍵により解錠して、錠箱内の制御カム５（図３参照）を動かす他はない。
【００４８】
【発明の効果】
以上の説明から明らかなように、この発明は、外側操作部材をリトラクター軸に選択的に接続し、或いは切離すようにしたから、自動施錠型の錠前を空錠に切替える、という初期の目的を達成している。
【００４９】
また、ラッチボルトを錠箱内に引込めるのではなく、空錠状態においてもラッチボルトを扉枠のストライク孔に係止するようにしてあるので、扉が風で煽られても扉が開いてしまうことが無い、等種々の効果を奏する。
【図面の簡単な説明】
【図１】この発明の一実施例による切替装置の縦断側面図で、空錠状態を示す。
【図２】駆動カムを示す側面図で、（Ａ）は駆動カムをその儘、（Ｂ）は環堤部を展開して示す。
【図３】自動施錠機構を有する錠箱の一例を示す一部断面側面図。
【図４】図１と同様の切替装置の縦断側面図で、自動施錠状態を示す。
【図５】図４のＶ−Ｖ線による断面図。
【符号の説明】
１４  リトラクター軸
１７  内孔
１８  切替摘み
１９  室外側操作部材
２０  連係機構
２０ａ  駆動カム
２０ｂ  フォロワー
２１  第１操作杆
２２  第２操作杆
２２ａ  円形断面部
２２ｂ  異形断面部
２３  ばね部材
【図１】
0003897314.tif 000002
【図２】
0003897314.tif 000003
【図５】
0003897314.tif 000004
【図３】
0003897314.tif 000005
【図４】
0003897314.tif 000006